(57)【要約】      （修正有）【課題】角筒状の胴部が上下方向に延び、陳列トレイ状にできる包装箱を提供する。【解決手段】包装箱１は、胴部２、上面部３、底部４を備える。胴部は、右側壁５、前壁６、左側壁７、後壁８を備える。後壁には、左右側縁に直交するようにそれぞれ延びる一対の第１破断可能線２１が形成される。右側壁及び左側壁のそれぞれには、一対の第１破断可能線に連続し、各前側縁に向かって延びる一対の第２破断可能線２２と、一対の第２破断可能線に連続し、各前側縁まで延びる一対の第３破断可能線２３とが形成される。前壁には、一対の第３破断可能線の各先端同士を接続する第４破断可能線が形成される。第１、第２破断可能線は、不連続な直線状の複数の単位切れ目が連続して直線上に配置され、第３破断可能線は、不連続な複数の単位切れ目が、一の単位切目の先端の上側に先端側で隣接する単位切目の後端部が配置される。【選択図】図１
0003224573.tif 000002
【実用新案登録請求の範囲】
【請求項１】
前壁、後壁及び左右一対の側壁を有する四角筒状の胴部と、
前記胴部の上端開口及び下端開口を封止する封止部と、を備える包装箱において、
前記後壁には、左右側縁に直交するように延びる一対の第１破断可能線が形成され、
前記一対の側壁のそれぞれには、前記一対の第１破断可能線の端部それぞれに連続し、前記一対の側壁の各前側縁に向かって延びる一対の第２破断可能線と、前記一対の第２破断可能線の各先端それぞれに連続し、前記一対の側壁の各前側縁まで延びる一対の第３破断可能線とが形成され、
前記前壁には、前記一対の第３破断可能線の各先端同士を接続する第４破断可能線が形成され、
前記第１破断可能線及び前記第２破断可能線は、不連続な直線状の複数の単位切れ目が連続して直線上に配置されるものであって、
前記第３破断可能線は、不連続な複数の単位切れ目が、一の単位切目の先端の上側に先端側で隣接する単位切目の後端部が配置されていることを特徴とする包装箱。
【請求項２】
前壁、後壁及び左右一対の側壁を有する四角筒状の胴部と、
前記胴部の上端開口及び下端開口を封止する封止部とを備える包装箱において、
前記後壁には、周縁から離間した中間部に形成された破断開始部と、該破断開始部の左右端からそれぞれ隣接する左右側縁まで、上縁側に向かって漸次近づくように傾斜して延びる一対の第１破断可能線が形成され、
前記一対の側壁のそれぞれには、前記一対の第１破断可能線の端部それぞれに連続し、前記一対の側壁の各前側縁に向かって延びる一対の第２破断可能線と、前記一対の第２破断可能線の各先端それぞれに連続し、前記一対の側壁の各前側縁まで延びる一対の第３破断可能線とが形成され、
前記前壁には、前記一対の第３破断可能線の各先端同士を接続する第４破断可能線が形成され、
前記第２破断可能線は、不連続な直線状の複数の単位切れ目が連続して直線上に配置されるものであって、
前記第３破断可能線は、不連続な複数の単位切れ目が、一の単位切目の先端の上側に先端側で隣接する単位切目の後端部が配置されていることを特徴とする包装箱。
【請求項３】
請求項１又は２に記載の包装箱において、
前記一対の第２破断可能線は、前記一対の第１破断可能線とは異なる角度で延びるように形成されていることを特徴とする包装箱。
【考案の詳細な説明】
【技術分野】
【０００１】
本考案は、物品を収容する包装箱に関する。
【背景技術】
【０００２】
従来、物品を収容する包装箱として、左右一対の側壁、天蓋部、及び底部からなる四角筒状の胴部と、該胴部の前端開口及び後端開口をそれぞれ４枚のフラップで封止する一対の封止部を備えたラップラウンドタイプの包装箱が知られている（例えば、特許文献１参照）。
【０００３】
特許文献１に記載の包装箱には、後端開口を封じるために先端を突き合せた一対の内フラップには、外フラップが重合されていない位置に手指を挿入可能なＵ字状の破断開始部が形成され、この破断開始部の左右端から、前記内フラップ及び側壁を通過して先端開口を封じる内フラップの外フラップが重合されていない位置まで漸次底部に近づくように傾いて延びる直線状の破断可能線が形成されている。
【０００４】
また、後端開口を封じる内フラップ及び外フラップには、破断開始部と破断可能線との交点から、封止部の上側隅部に向かって延びる山折りの補助折目線が重なるように設けられている。
【０００５】
上記構成により、特許文献１に記載の包装箱では、破断開始部を破断させ包装箱内に手指を押し込んで上半部を持ち上げると、前記補助折目線が山折りされることにより、封止部が外側に膨んで、内フラップが破断されるように誘導される。内フラップには、破断可能線と補助折目線との両方が設けられているため、破断させていく際に剛性が不足して両方で折り曲がり上手く破断を誘導することができない可能性があるところ、特許文献１に記載の包装箱では、内フラップの補助折目線に重なるように、外フラップに補助折目線が設けられているため、破断を誘導させることができ、この結果、全周を破断させることで、内部に収容した物品を陳列するための陳列トレイとして使用することができる。
【先行技術文献】
【特許文献】
【０００６】
【特許文献１】特開２０１９−０１１０７１号公報
【考案の概要】
【考案が解決しようとする課題】
【０００７】
しかしながら、所謂ミカン箱のように、四角筒状の胴部が上下方向に延びる包装箱の場合、全周を破断させて陳列トレイにしたい場合であっても、外フラップに相当する構成がないため、特許文献１のように、破断を誘導させることができないという問題がある。
【０００８】
本考案は、以上の点に鑑み、陳列トレイ状にできる角筒状の胴部が上下方向に延びる包装箱を提供することを目的とする。
【課題を解決するための手段】
【０００９】
本考案の包装箱は、前壁、後壁及び左右一対の側壁を有する四角筒状の胴部と、前記胴部の上端開口及び下端開口を封止する封止部と、を備える包装箱において、前記後壁には、左右側縁に直交するように延びる一対の第１破断可能線が形成され、前記一対の側壁のそれぞれには、前記一対の第１破断可能線の端部それぞれに連続し、前記一対の側壁の各前側縁に向かって延びる一対の第２破断可能線と、前記一対の第２破断可能線の各先端それぞれに連続し、前記一対の側壁の各前側縁まで延びる一対の第３破断可能線とが形成され、前記前壁には、前記一対の第３破断可能線の各先端同士を接続する第４破断可能線が形成され、前記第１破断可能線及び前記第２破断可能線は、不連続な直線状の複数の単位切れ目が連続して直線上に配置されるものであって、前記第３破断可能線は、不連続な複数の単位切れ目が、一の単位切目の先端の上側に先端側で隣接する単位切目の後端部が配置されていることを特徴とする。
【００１０】
本考案の包装箱では、胴部は、前壁、後壁及び左右一対の側壁を有し、上下方向に延びるように形成されている。
【００１１】
また、本考案の包装箱では、後壁には、左右側縁に直交するように延びる第１破断可能線が形成され、この第１破断可能線は、不連続な直線状の複数の単位切れ目が連続して直線上に配置されるものであるので、後壁の第１破断可能線よりも上側部分と、後壁の第１破断可能線よりも下側部分とを左右方向で互いに異なる方向に変位させると、後壁が第１破断可能線に沿って破断される。
【００１２】
本考案によれば、包装箱の角筒状の胴部を上下方向に延びるように構成しながらも、上記したように後壁を第１破断可能線に沿って破断させた後、一対の側壁を一対の第２破断可能線及び第３破断可能線に沿って破断させ、前壁を第４破断可能線に沿って破断させると、包装箱を陳列トレイ状に形成することができる。
【００１３】
また、本考案では、第２破断可能線は、不連続な直線状の複数の単位切れ目が連続して直線上に配置されるので、一対の第２破断可能線が形成された一対の側壁を、左右方向に変位させると、容易に一対の側壁を一対の第２破断可能線に沿って破断させることができる。
【００１４】
さらに、本考案では、第３破断可能線は、不連続な複数の単位切れ目が、一の単位切目の先端の上側に先端側で隣接する単位切目の後端部が配置されているので、一対の第３破断可能線が形成された一対の側壁に対して、一対の第３破断可能線よりも上側部分を持ち上げるような力を加えると、容易に一対の側壁を一対の第３破断可能線に沿って破断させることができる。
【００１５】
本考案の包装箱は、前壁、後壁及び左右一対の側壁を有する四角筒状の胴部と、前記胴部の上端開口及び下端開口を封止する封止部とを備える包装箱において、前記後壁には、周縁から離間した中間部に形成された破断開始部と、該破断開始部の左右端からそれぞれ隣接する左右側縁まで、上縁側に向かって漸次近づくように傾斜して延びる一対の第１破断可能線が形成され、前記一対の側壁のそれぞれには、前記一対の第１破断可能線の端部それぞれに連続し、前記一対の側壁の各前側縁に向かって延びる一対の第２破断可能線と、前記一対の第２破断可能線の各先端それぞれに連続し、前記一対の側壁の各前側縁まで延びる一対の第３破断可能線とが形成され、前記前壁には、前記一対の第３破断可能線の各先端同士を接続する第４破断可能線が形成され、前記第２破断可能線は、不連続な直線状の複数の単位切れ目が連続して直線上に配置されるものであって、前記第３破断可能線は、不連続な複数の単位切れ目が、一の単位切目の先端の上側に先端側で隣接する単位切目の後端部が配置されていることを特徴とする。
【００１６】
本考案の包装箱では、胴部は、前壁、後壁及び左右一対の側壁を有し、上下方向に延びるように形成されている。
【００１７】
また、本考案の包装箱では、後壁には、周縁から離間した中間部に形成された破断開始部と、この破断開始部の左右端からそれぞれ隣接する左右側縁まで、上縁側に向かって漸次近づくように傾斜して延びる第１破断可能線が形成されているので、後壁の第１破断可能線よりも上側部分を持ち上げる方向に力を加えた場合に、第１破断可能線には、第１破断可能線に沿って破断される方向に力が加わり、後壁が第１破断可能線に沿って破断される。
【００１８】
本考案によれば、包装箱の角筒状の胴部を上下方向に延びるように構成しながらも、上記したように後壁を第１破断可能線に沿って破断させた後、一対の側壁を一対の第２破断可能線及び一対の第３破断可能線に沿って破断させ、前壁を第４破断可能線に沿って破断させると、包装箱を陳列トレイ状に形成することができる。
【００１９】
また、本考案では、第２破断可能線は、不連続な直線状の複数の単位切れ目が連続して直線上に配置されるので、一対の第２破断可能線が形成された一対の側壁を、左右方向に変位させると、容易に一対の側壁を一対の第２破断可能線に沿って破断させることができる。
【００２０】
さらに、本考案では、第３破断可能線は、不連続な複数の単位切れ目が、一の単位切目の先端の上側に先端側で隣接する単位切目の後端部が配置されているので、一対の第３破断可能線が形成された一対の側壁に対して、一対の第３破断可能線よりも上側部分を持ち上げるような力を加えると、容易に一対の側壁を一対の第３破断可能線に沿って破断させることができる。
【００２１】
また、前記一対の第２破断可能線は、前記一対の第１破断可能線とは異なる角度で延びるように形成されていることが好ましい。
【００２２】
この構成によれば、一対の第１破断可能線及び一対の第２破断可能線に上方から力が加わった場合でも、どちらかの一対の破断可能線は、上記上方からの力が加わる方向に直交する方向に対して傾斜することになるので、一対の第１破断可能線と一対の第２破断可能線とが同じ角度で一直線上に延びるものに比べて、剛性を高めることができる。
【図面の簡単な説明】
【００２３】
【図１】第１実施形態の包装箱を示す斜視図。
【図２】第１実施形態の包装箱を展開して示す展開図。
【図３】第１実施形態の包装箱の後壁を破断させた状態を示す斜視図。
【図４】第１実施形態の包装箱の左右側壁を破断させた状態を示す斜視図。
【図５】第１実施形態の包装箱の胴部を破断させた状態を示す斜視図。
【図６】第２実施形態の包装箱を示す斜視図。
【図７】第２実施形態の包装箱を展開して示す展開図。
【考案を実施するための形態】
【００２４】
本考案の一実施形態を図面に基づいて説明する。
【００２５】
［第１実施形態］
図１に示すように、包装箱１は、四角筒状の胴部２と、互いに対向する上面部３（封止部）及び底部４（封止部）とを備え、四角箱状に形成されている。包装箱１は、例えば、商品Ｓ（図５参照）を複数、並置収容するものである。
【００２６】
胴部２は、右側壁５、前壁６、左側壁７及び後壁８を備え、右側壁５及び左側壁７が左右一対で互いに対向し、前壁６及び後壁８が互いに対向し、四角筒状に形成されている。
【００２７】
図２に示すように、包装箱１は、大略矩形状に打抜いて形成された紙１０により組み立てられる。
【００２８】
紙１０は、図２において展開して示すように、左右方向及び前後方向に延びる矩形状の右側壁５の側縁（図２における右側縁）に、折目線Ｌ１を介して矩形状の前壁６が連結され、右側壁５の側縁（図２における左側縁）に、折目線Ｌ２を介して接着片１１が連結されている。接着片１１は、後壁８に接着されている。
【００２９】
前壁６の側縁（図２における右側縁）に、折目線Ｌ３を介して矩形状の左側壁７が連結され、左側壁７の側縁（図２における右側縁）に、折目線Ｌ４を介して矩形状の後壁８が連結されている。
【００３０】
上面部３は、互いに対向する一対の上面フラップ部３ａ，３ｂと、天蓋部３ｃとから構成され、天蓋部３ｃは、胴部２の上端開口を封止する。
【００３１】
上面フラップ部３ａは、前壁６の上端縁に折目線Ｌ５を介して延設され、上面フラップ部３ｂは、後壁８の上端縁に折目線Ｌ６を介して延設されている。
【００３２】
上面フラップ部３ａの側端（図２における左端）の下端部には、凸状の係止部１３が形成されている。同様に、上面フラップ部３ｂの側端（図２における右端）の下端部には、凸状の係止部１４が形成されている。
【００３３】
天蓋部３ｃは、左側壁７の上端縁に折目線Ｌ７を介して延設されている。天蓋部３ｃの上端縁には、折目線Ｌ８を介して差込部１６が延設されている。上面フラップ部３ａ，３ｂと天蓋部３ｃとの境界線には切目が形成されている。
【００３４】
折目線Ｌ８の図２における左右端には、差込部１６の左右側縁まで延びる一対の係止用切目１８が連接されている。
【００３５】
底部４は、底面フラップ４ａ〜４ｄを備え、底面フラップ４ａ〜４ｄは、胴部２の下端開口を封止するように互いに係合されている。
【００３６】
底面フラップ４ａは、折目線Ｌ９を介して右側壁５の下端縁に連結され、底面フラップ４ｂは、折目線Ｌ１０を介して前壁６の下端縁に連結されている。底面フラップ４ｃは、折目線Ｌ１１を介して左側壁７の下端縁に連結され、底面フラップ４ｄは、折目線Ｌ１２を介して後壁８の下端縁に連結されている。
【００３７】
後壁８には、図２における左右方向の略中央部の上端部である所定部分から、後壁８の左右側縁に直交するようにそれぞれ延びる一対の第１破断可能線２１が形成されている。本実施形態では、第１破断可能線２１は、不連続な直線状の複数の単位切れ目が連続して直線上に配置される。
【００３８】
後壁８には、左側の第１破断可能線２１から下方に延びた後に右方に延び、右側の第１破断可能線２１に接続するように上方に延びる切目線Ｃ１が形成されている。本実施形態では、切目線Ｃ１は、不連続な複数の切れ目による所謂ミシン目によって形成されている。
【００３９】
接着片１１には、一対の第１破断可能線２１のうちの右側の第１破断可能線２１に重なる位置に切目線１１ａが形成されている。
【００４０】
右側壁５及び左側壁７のそれぞれには、一対の第１破断可能線２１の端部それぞれに連続し、右側壁５及び左側壁７の各前側縁に向かって延びる一対の第２破断可能線２２が形成されている。本実施形態では、第２破断可能線２２は、不連続な直線状の複数の単位切れ目が連続して直線上に配置される。
【００４１】
また、右側壁５及び左側壁７のそれぞれには、一対の第２破断可能線２２の各先端それぞれに連続し、右側壁５及び左側壁７の各前側縁まで延びる一対の第３破断可能線２３が形成されている。本実施形態では、第３破断可能線２３は、不連続な複数の単位切れ目が、一の単位切目の先端の上側に先端側で隣接する単位切目の後端部が配置される所謂ジッパーにより構成されている。
【００４２】
一対の第２破断可能線２２のそれぞれは、右側壁５及び左側壁７の各前側縁に向かうにつれて下方向に傾斜した方向に延びる。一対の第３破断可能線２３のそれぞれは、右側壁５及び左側壁７の各前側縁に向かうにつれて下方向に傾斜した方向であって、一対の第２破断可能線２２とは異なる角度で延びる。
【００４３】
前壁６には、一対の第３破断可能線２３の各先端を接続する第４破断可能線２４が形成されている。第４破断可能線２４は、右側壁５に形成された第３破断可能線２３の先端から側方に延びた後に下方に延び、下方に延びた後に側方（左側壁７側）に延び、側方に延びた後に上方に延び、上方に延びた後に側方に延びて、左側壁７に形成された第３破断可能線２３の先端に接続する。第４破断可能線２４の延びる方向が変わる各角部は円弧状に形成されている。本実施形態では、第４破断可能線２４は、不連続な複数の切れ目による所謂ミシン目によって形成されている。
【００４４】
［組み立て］
次に、以上の図２に示す紙１０から図１に示す包装箱１を組み立てる手順について説明する。
【００４５】
先ず、底面フラップ４ａ〜４ｄを、折目線Ｌ９〜Ｌ１２に沿って折り曲げる。
【００４６】
次に、前壁６を折目線Ｌ１に沿って折り曲げ、接着片１１を折目線Ｌ２に沿って折り曲げる。さらに、左側壁７を折目線Ｌ３に沿って折り曲げ、後壁８を折目線Ｌ４に沿って折り曲げて、接着片１１を後壁８の内面に接着剤（図示せず）により接着する。これにより、底面フラップ４ａ〜４ｄはそれぞれ係合され、包装箱１は、複数の商品Ｓを収容可能に有底筒状に形成される。
【００４７】
そして、複数の商品Ｓを一列に並ぶように配置して包装箱１の内部に収容する。
【００４８】
次に、上面フラップ部３ａ，３ｂを、折目線Ｌ５，Ｌ６に沿って内側に折り曲げる。そして、天蓋部３ｃを折目線Ｌ７に沿って内側に折り曲げた後、差込部１６を、折目線Ｌ８に沿って内側に折り曲げて、上面フラップ部３ａ，３ｂと右側壁５との間の隙間に挿入する。
【００４９】
差込部１６の挿入により、上面フラップ部３ａ，３ｂに形成された一対の係止部１３，１４が、天蓋部３ｃの下側から、天蓋部３ｃの一対の係止用切目１８により形成された開口部に挿入される。これにより、差込部１６が係止される。
【００５０】
このような手順により、包装箱１は、複数の商品Ｓを収容した状態で図１に示すような箱状に形成される。商品Ｓは、包装箱１に収容された状態で、商品Ｓを製造する製造会社から、商品Ｓを販売する販売店等に搬送される。
【００５１】
［陳列トレイ状形成］
次に、図３〜図５を参照して、販売店等で、包装箱１を、内部に収容した複数の商品Ｓを陳列するための陳列トレイ状に形成する作業を説明する。
【００５２】
販売店の作業者は、例えば、後壁８が上方を向くように包装箱１を立てた後、手指を、後壁８の切目線Ｃ１と一対の第１破断可能線２１とにより囲まれた折り曲げ範囲に押し付ける。この押し付けにより、上記折り曲げ範囲は、第１破断可能線２１に沿って包装箱１の内部に折り曲げられる。
【００５３】
次に、作業者は、例えば、左手の手指を上記折り曲げにより形成された開口に挿入して、左手で後壁８の一対の第１破断可能線２１よりも上側部分（以下、上側部分）を持ち、右手で後壁８の一対の第１破断可能線２１よりも下側部分（以下、下側部分）を持ち、この状態で、後壁８の上側部分と、後壁８の下側部分とを左右方向で互いに異なる方向に変位させる（例えば、後壁８の上側部分を左方向に変位させ、且つ、後壁８の下側部分を右方向に変位させる）。
【００５４】
これにより、図３に示すように、後壁８は、一対の第１破断可能線２１に沿って破断され、さらに、右側壁５及び左側壁７のそれぞれは、一対の第２破断可能線２２に沿って破断される。
【００５５】
次に、作業者は、例えば、右手で後壁８の下側部分を保持した状態で、左手で後壁８の上側部分を図１における上方向（以下、持ち上げる方向）に持ち上げる。これにより、図４に示すように、右側壁５及び左側壁７のそれぞれは、一対の第３破断可能線２３に沿って破断され、さらに、前壁６は、第４破断可能線２４に沿って破断される（図５参照）。
【００５６】
このような作業により、図５に示すように、包装箱１を、上面が開口した有底四角筒状であって、内部に収容した商品Ｓを陳列するための陳列トレイ状にすることができる。なお、図４及び図５では、破断後の包装箱１の形状が分かるように、商品Ｓを点線で示している。
【００５７】
第１実施形態では、一対の第１破断可能線２１は、後壁８の左右側縁に直交するようにそれぞれ延びる（水平方向に延びる）ので、後壁８の上側部分と、後壁８の下側部分とを左右方向で互いに異なる方向に変位させると、後壁８が第１破断可能線２１に沿って破断される。
【００５８】
このように、第１実施形態では、容易に後壁８を第１破断可能線２１に沿って破断させることができる。
【００５９】
第１実施形態では、包装箱１の角筒状の胴部２を上下方向に延びるように構成しながらも、上記したように後壁８を第１破断可能線２１に沿って破断させた後、一対の右側壁５及び左側壁７を一対の第２破断可能線２２及び第３破断可能線２３に沿って破断させ、前壁６を第４破断可能線２４に沿って破断させると、包装箱１を陳列トレイ状に形成することができる。
【００６０】
また、第１実施形態では、第２破断可能線２２は、不連続な直線状の複数の単位切れ目が連続して直線上に配置されるので、一対の第２破断可能線２２が形成された一対の右側壁５及び左側壁７を、左右方向に変位させると、容易に一対の右側壁５及び左側壁７を一対の第２破断可能線２２に沿って破断させることができる。
【００６１】
さらに、第１実施形態では、一対の第３破断可能線２３は、不連続な複数の単位切れ目が、一の単位切目の先端の上側に先端側で隣接する単位切目の後端部が配置されるので、後壁８の上側部分を持ち上げ、一対の第３破断可能線２３に上方向への力を加えると、右側壁５及び左側壁７のそれぞれを、容易に一対の第３破断可能線２３に沿って破断させることができる。
【００６２】
また、第１実施形態では、一対の第２破断可能線２２は、一対の第１破断可能線２１とは異なる角度で延びるように形成されているので、一対の第１破断可能線２１及び一対の第２破断可能線２２に上方から力が加わった場合でも、どちらか一方の一対の破断可能線は、上記上方からの力が加わる方向に直交する方向に対して傾斜することになるので、一対の第１破断可能線と一対の第２破断可能線とが同じ角度で一直線上に延びるものに比べて、包装箱１の剛性を高めることができる。
【００６３】
［第２実施形態］
図６及び図７に示す第２実施形態の包装箱１０１は、第１実施形態の包装箱１と同様に、胴部１０２と、上面部１０３及び底部１０４とを備え、商品Ｓを複数、並置収容する。胴部１０２は、右側壁１０５、前壁１０６、左側壁１０７及び後壁１０８を備える。なお、包装箱１０１は、大部分が第１実施形態の包装箱１と同様に構成されており、その説明を簡略化する。
【００６４】
図７に示すように、包装箱１０１は、大略矩形状に打抜いて形成された紙１１０により組み立てられる。
【００６５】
紙１１０は、図７において展開して示すように、折目線Ｌ１０１〜Ｌ１０４を介して、前壁１０６、接着片１１１、左側壁１０７、後壁１０８が連結されている。
【００６６】
上面部１０３は、一対の上面フラップ部１０３ａ，１０３ｂと、天蓋部１０３ｃとから構成されている。上面フラップ部１０３ａ，１０３ｂは、折目線Ｌ１０５，Ｌ１０６を介して延設されている。上面フラップ部１０３ａ，１０３ｂには、係止部１１３，１１４が形成されている。
【００６７】
天蓋部１０３ｃは、右側壁１０５の上端縁に折目線Ｌ１０７を介して延設されている。天蓋部３ｃの上端縁には、折目線Ｌ１０８を介して差込部１１６が延設されている。上面フラップ部１０３ａと天蓋部１０３ｃとの境界線には切目が形成されている。
【００６８】
折目線Ｌ１０８の図７における左右端には、一対の係止用切目１１８が連接されている。
【００６９】
底部１０４は、底面フラップ１０４ａ〜１０４ｄを備え、底面フラップ１０４ａ〜１０４ｄは、折目線Ｌ１０９〜Ｌ１１２を介して連結されている。
【００７０】
後壁１０８には、後壁１０８の周縁から離間した中間部に形成された破断開始部１２０と、破断開始部１２０の左右端からそれぞれ隣接する後壁１０８の左右側縁まで、後壁１０８の上縁側に向かって漸次近づくように傾斜して延びる一対の第１破断可能線１２１が形成されている。
【００７１】
破断開始部１２０は、一対の第１破断可能線１２１を結ぶ第１切目線Ｃ１０１と、第１切目線Ｃ１０１の左右端を結び、上方に半円弧状に延びる第２切目線Ｃ１０２と、この第２切目線Ｃ１０２の中間部と第１切目線Ｃ１０１の中間部とを結ぶ上下方向に延びる第３切目線Ｃ１０３とを備える。本実施形態では、第１〜第３切目線Ｃ１０１〜Ｃ１０３は、不連続な複数の切れ目による所謂ミシン目によって形成されている。
【００７２】
この構成により、詳しくは後述するように、第１切目線Ｃ１０１と第２切目線Ｃ１０２とにより囲まれた範囲（以下、開放範囲）を、第３切目線Ｃ１０３を中心として左右方向に扉状に開放することができる。
【００７３】
接着片１１１には、一対の第１破断可能線１２１のうちの右側の第１破断可能線１２１に重なる位置に切目線１１１ａが形成されている。
【００７４】
右側壁１０５及び左側壁１０７のそれぞれには、第１実施形態の一対の第２破断可能線２２及び一対の第３破断可能線２３と同様に、一対の第２破断可能線１２２及び一対の第３破断可能線１２３が形成されている。本実施形態では、第１，第２破断可能線１２１，１２２は、不連続な直線状の複数の単位切れ目が連続して直線上に配置され、第３破断可能線１２３は、不連続な複数の単位切れ目が、一の単位切目の先端の上側に先端側で隣接する単位切目の後端部が配置される所謂ジッパーにより構成されている。
【００７５】
第２破断可能線１２２は、右側壁１０５及び左側壁１０７の各前側縁に向かうにつれて下方向に傾斜した方向に延びる。第３破断可能線１２３は、右側壁１０５及び左側壁１０７の各前側縁に向かって水平方向に延びた後、右側壁１０５及び左側壁１０７の各前側縁に向かうにつれて下方向に傾斜した方向に延びる。
【００７６】
前壁１０６には、一対の第３破断可能線１２３の各先端同士を接続する第４破断可能線１２４が形成されている。第４破断可能線１２４は、一対の第３破断可能線１２３の各先端それぞれに連続し、前壁１０６の内側方向に延びる一対の第１線１２４ａと、一対の第１線１２４ａの各先端それぞれに接続され、四隅が円弧状に形成された矩形状に延びる第２線１２４ｂとからなる。本実施形態では、第４破断可能線１２４は、不連続な複数の切れ目による所謂ミシン目によって形成されている。
【００７７】
前壁６には、第２線１２４ｂの上側の線から下方に半円弧状に延びて、第２線１２４ｂの上側の線に戻る第４切目線Ｃ１０４と、この第４切目線Ｃ１０４の中間部と第２線１２４ｂの上側の線とを結ぶ上下方向に延びる第５切目線Ｃ１０５とが形成されている。本実施形態では、第４，第５切目線Ｃ１０４，Ｃ１０５は、不連続な複数の切れ目による所謂ミシン目によって形成されている。
【００７８】
この構成により、詳しくは後述するように、第４切目線Ｃ１０４と第２線１２４ｂとにより囲まれた範囲を、第５切目線Ｃ１０５を中心として左右方向に扉状に開放することができる。
【００７９】
［陳列トレイ状形成］
次に、第１実施形態の包装箱１と同様に、包装箱１０１の胴部１０２を第１〜第４破断可能線１２１〜１２４に沿って破断させ、包装箱１０１を、内部に収容した複数の商品Ｓを陳列するための陳列トレイ状に形成する作業を説明する。
【００８０】
販売店の作業者は、例えば、後壁１０８が上方を向くように包装箱１０１を立てた後、手指を、後壁１０８の第１切目線Ｃ１０１と第２切目線Ｃ１０２とにより囲まれた開放範囲に押し付ける。この押し付けにより、上記開放範囲は、第３切目線Ｃ１０３を中心として左右方向に扉状に開放される。
【００８１】
次に、作業者は、第１実施形態と同様に、後壁１０８を、一対の第１破断可能線１２１に沿って破断させ、右側壁１０５及び左側壁１０７のそれぞれを、一対の第３破断可能線１２３に沿って破断させ、さらに、前壁１０６を、第４破断可能線１２４に沿って破断させる。
【００８２】
第２実施形態では、一対の第１破断可能線１２１は、後壁１０８に形成された破断開始部１２０の左右端からそれぞれ隣接する後壁１０８の左右側縁まで、後壁１０８の上縁側に向かって漸次近づくように傾斜して延びるので、後壁１０８の上側部分を持ち上げる方向に力を加えた場合に、第１破断可能線１２１には、第１破断可能線１２１に沿って破断される方向に力が加わり、後壁１０８が第１破断可能線１２１に沿って破断される。
【００８３】
このように、第２実施形態では、後壁１０８を第１破断可能線１２１に沿って破断させることができる。
【００８４】
第２実施形態では、包装箱１０１の角筒状の胴部１０２を上下方向に延びるように構成しながらも、上記したように後壁１０８を第１破断可能線１２１に沿って破断させた後、一対の右側壁１０５及び左側壁１０７を一対の第２破断可能線１２２及び第３破断可能線１２３に沿って破断させ、前壁１０６を第４破断可能線１２４に沿って破断させると、包装箱１０１を陳列トレイ状に形成することができる。
【００８５】
また、第２実施形態では、一対の第３破断可能線１２３は、不連続な複数の単位切れ目が、一の単位切目の先端の上側に先端側で隣接する単位切目の後端部が配置されるので、後壁１０８の上側部分を持ち上げ、一対の破断可能線１２３に上方向への力を加えると、右側壁１０５及び左側壁１０７のそれぞれを、容易に一対の破断可能線１２３に沿って破断させることができる。
【００８６】
さらに、第２実施形態では、第２破断可能線１２２は、不連続な直線状の複数の単位切れ目が連続して直線上に配置されるので、一対の第２破断可能線１２２が形成された一対の右側壁１０５及び左側壁１０７を、左右方向に変位させると、容易に一対の右側壁１０５及び左側壁１０７を一対の第２破断可能線１２２に沿って破断させることができる。
【００８７】
さらに、第２実施形態では、一対の第２破断可能線１２２は、一対の第１破断可能線１２１とは異なる角度で延びるように形成されているので、第１実施形態と同様に、一対の第１破断可能線と一対の第２破断可能線とが同じ角度で一直線上に延びるものに比べて、剛性を高めることができる。
【００８８】
また、包装箱１０１を図６に示す箱状に保ったまま、内部の商品Ｓを視認可能な形態にすることもできる。この場合、作業者は、例えば手指を、前壁１０６の第４切目線Ｃ１０４と第２線１２４ｂとにより囲まれた範囲に押し付ける。この押し付けにより、前壁１０６の第４切目線Ｃ１０４と第２線１２４ｂとにより囲まれた範囲は、第５切目線Ｃ１０５を中心として左右方向に扉状に開放される。
【００８９】
そして、作業者は、上記開放した部分から手指を包装箱１０１の内部に挿入して、前壁１０６を第４破断可能線１２４に沿って破断させる。これにより、前壁１０６には、第４破断可能線１２４に沿った前面開口が形成され、包装箱１０１を図６に示す箱状に保ったまま、前記前面開口から内部の商品Ｓを視認することができる。
【００９０】
なお、上記実施形態では、包装箱１，１０１を紙１０，１１０により構成しているが、段ボール板紙や樹脂、金属等により構成してもよい。
【００９１】
また、上記実施形態では、第１〜第３破断可能線２１〜２３，１２１〜１２３を、互いに異なる角度で延びるように形成しているが、同じ角度で延びるようにしてもよく、少なくとも、第２破断可能線２２，１２２が、第１破断可能線２１，１２１と異なる角度で延びるように形成することが好ましい。
【００９２】
さらに、上記第１実施形態では、切目線Ｃ１を形成しているが、切目線Ｃ１は形成しなくてもよい。
【符号の説明】
【００９３】
１，１０１…包装箱、２，１０２…胴部、３ｃ，１０３ｃ…天蓋部（封止部）、４，１０４…底部（封止部）、５，１０５…右側壁、６，１０６…前壁、７，１０７…左側壁、８，１０８…後壁、１０，１１０…紙、２１〜２４，１２１〜１２４…第１〜第４破断可能線、１２０…破断開始部
【図１】
0003224573.tif 000003
【図２】
0003224573.tif 000004
【図３】
0003224573.tif 000005
【図４】
0003224573.tif 000006
【図５】
0003224573.tif 000007
【図６】
0003224573.tif 000008
【図７】
0003224573.tif 000009